(57)【特許請求の範囲】
【請求項１】
枠体１内の中央よりも片側に寄せてバーナ２と燃焼室３を配置し、
かつ、枠体１の背部と枠体１の前面の温風吹出口６とを連通する送風路４を枠体１内に設け、
該送風路４内にバーナ２もしくは燃焼室３を配置し、
かつ、送風路４の枠体１の背面側には室内対流ファン５を取付け、
前記温風吹出口６はバーナ２と燃焼室３が枠体１の片側に寄せられた送風路４内に設けられていても枠体１の前面に横幅広く構成し、
該温風吹出口６の枠体１内には送風路４とは対向しない温風吹出口６の端から送風路４の側壁に向かう吹出口前板７を設け、
送風路４に吹込まれた室内空気は高温となって枠体１の前面の温風吹出口６から室内に吹出す温風暖房機において、
温風吹出口６の端がある前方に向かって前記吹出口前板７を傾斜して取付け、
前記送風路４内に設けた燃焼室３よりも温風吹出口６側で送風路４の吹出口前板７側の側壁には、送風路４の断面を狭めるように送風路４内に張出す空気誘導部材８を設け、
この送風路４内に飛び出して取付けられた空気誘導部材８は前記吹出口前板７に向かって連続するよう設けられており、
送風路４の断面を狭める空気誘導部材８によって送風路４の側壁に沿って流れる空気が吹出口前板７方向に向かう空気流を形成することを特徴とする温風暖房機の温風構造。
【請求項２】
室内対流ファン５が配置される送風路４の入口側の高さよりも温風吹出口６の高さを低く設定して送風路４を低い位置に設け、
かつ、送風路４内の空気誘導部材８側の側壁に傾斜天板４ａに向かう空気流を遮る送風板９を設け、
該送風板９は室内対流ファン５の風を空気誘導部材８に向けてこの空気誘導部材８に向かう空気量を増加させることを特徴とする請求項１記載の温風暖房機の温風構造。
【発明の詳細な説明】
【０００１】
【産業上の利用分野】
この発明は片側に寄せてバーナを配置する枠体であっても横幅のある枠体前面の温風吹出口の全体から温風を吹出し易くする温風構造に関するものである。
【０００２】
【従来の技術】
温風暖房機の枠体内には燃料タンクを収納する為などによって、枠体の片側に寄せてバーナを配置したものがある。そして、バーナもしくはバーナに続く燃焼室を送風路内に配置し、送風路の枠体背面側に室内対流ファンを設け、送風路の枠体前面側に温風吹出口を設ける構成となっている。この構成によると枠体前面の温風吹出口は、片側に寄せた送風路の前面だけに構成されている。
【０００３】
この構成では枠体正面の全体の中で片側だけに温風吹出口があるから、枠体の前面のデザインがまとまりにくく、この為、温風吹出口に取付けるルーバーだけは枠体の横幅のほぼ全体となるように横に長く構成したものがある。この構造によると、温風吹出口は横に長い構成となり、デザインとしてはうまくまとまったものとなった。
【０００４】
【発明が解決しようとする課題】
しかし、送風路は枠体の片側に寄せて配置しているから、枠体の横幅に匹敵する横長の温風吹出口に横長のルーバーを取付けても、横長のルーバーの全体から温風が吹き出てくるわけではなく、相変わらず温風は片側の送風路の正面だけから吹き出しており、使い勝手の点は何等改善されていないものであった。また、ルーバーを横に長くしたから、取扱者はルーバーの全体から温風が吹出すものと勘違いをして、片側からのみ温風が吹出すからクレーム品であると誤解を受けることさえあった。
【０００５】
【課題を解決するための手段】
この発明は上記の課題を解決するもので、枠体１内の中央よりも片側に寄せてバーナ２と燃焼室３を配置し、かつ、枠体１の背部と枠体１の前面の温風吹出口６とを連通する送風路４を枠体１内に設け、該送風路４内にバーナ２もしくは燃焼室３を配置し、かつ、送風路４の枠体１の背面側には室内対流ファン５を取付け、前記温風吹出口６はバーナ２と燃焼室３が枠体１の片側に寄せられた送風路４内に設けられていても枠体１の前面に横幅広く構成し、該温風吹出口６の枠体１内には送風路４とは対向しない温風吹出口６の端から送風路４の側壁に向かう吹出口前板７を設け、送風路４に吹込まれた室内空気は高温となって枠体１の前面の温風吹出口６から室内に吹出す温風暖房機において、温風吹出口６の端がある前方に向かって前記吹出口前板７を傾斜して取付け、前記送風路４内に設けた燃焼室３よりも温風吹出口６側で送風路４の吹出口前板７側の側壁には、送風路４の断面を狭めるように送風路４内に張出す空気誘導部材８を設け、この送風路４内に飛び出して取付けられた空気誘導部材８は前記吹出口前板７に向かって連続するよう設けられており、送風路４の断面を狭める空気誘導部材８によって送風路４の側壁に沿って流れる空気が吹出口前板７方向に向かう空気流を形成するようにしたものである。
【０００６】
また、室内対流ファン５が配置される送風路４の入口側の高さよりも温風吹出口６の高さを低く設定して送風路４を低い位置に設け、かつ、送風路４内の空気誘導部材８側の側壁に傾斜天板４ａに向かう空気流を遮る送風板９を設け、該送風板９は室内対流ファン５の風を空気誘導部材８に向けてこの空気誘導部材８に向かう空気量を増加させる構成としたから、送風路４に対向しない部分の温風吹出口６であっても、枠体１の前方へ向かう強い空気流を形成することができた。
【０００７】
【作用】
室内対流ファン５で送風路４に送られる空気はバーナ２や燃焼室３があるから、送風路４の側壁部分に向いやすいものであり、更に、この送風路４の側壁には送風路４の断面を狭めるように連続した空気誘導部材８を設けたから、空気流はこの空気誘導部材８に押付けられて流れるものである。そして、この空気誘導部材８の端は吹出口前板７に連続しているから、コアンダ効果によって温風は空気誘導部材８に付着したままで吹出口前板７に沿って流れるようになり、吹出口前板７と対向する温風吹出口６からも温風が吹出すようになった。
【０００８】
【実施例】
図に示す石油燃料を用いる暖房機の実施例によってこの発明を説明すると、１は暖房機の枠体、２は枠体１内の中央よりも片側に寄せて設けたバーナ、３はバーナ１の上部に配置されて燃焼炎と燃焼ガスとが送られる燃焼室である。４は枠体１の背面から前面に向かって貫通して形成した送風路、５は枠体１の背面の送風路４の入口側に設けた室内対流ファン、６は枠体１の前面の送風路４の出口側に形成した温風吹出口である。
【０００９】
実施例の石油暖房機はファンヒータと呼ばれる燃焼排気ガスを室内に放出するタイプであって、バーナ２の一部と燃焼室３が送風路４内に配置されており、室内対流ファン５によって送風路４内に送られた室内空気と、燃焼室３から排出される燃焼排気ガスとが送風路４内で混合し、枠体２の温風吹出口６から温風となって吹出すものである
【００１０】
前記の温風吹出口６は枠体１の前面の中央よりもやや低い位置で、枠体１の前面に横幅広く構成しており、１０は温風吹出口６の横幅全体に横に長く構成したルーバー、４ａは送風路４の前部に設けた傾斜天板であり、室内対流ファン５によって送られる空気は燃焼室３からの放熱によって加熱され、更に燃焼排気ガスと燃焼空気とが混合して、狭くなった温風吹出口６から吹き出し、ルーバー１０によって温風が遠くまで届くように方向付けられている。
【００１１】
７は直接送風路４と対向しない温風吹出口６のルーバー１０より枠体１側に形成した吹出口前板であり、温風吹出口６から枠体１内に配置した部品が見えないようにしている。従って、枠体１の片側に寄せてバーナ２が取付けられ、送風路４も片側に寄せて取付けられているから、横幅広く構成した温風吹出口６であっても片側から温風が吹き出すものである。
【００１２】
上記の構成の温風暖房機において、吹出口前板７は送風路４と対向しない温風吹出口６の端から送風路４の側壁に向けて取付けられ、温風吹出口６のルーバー１０に対して傾斜した位置関係にある。８は吹出口前板７を配置した方向の送風路４の側壁に送風路４の断面を狭めるように取付けた空気誘導部材であり、該空気誘導部材８の端は吹出口前板７に連続している。実施例の吹出口前板７の上下には温風吹出口５の上下端に向かう吹出口上板５ａと吹出口下板５ｂとが設けられており、温風が枠体１内に廻り込まないようにしている。
【００１３】
一方、送風路４を構成する送風路底板４ｂから燃焼室３が立ち上げられているから、室内対流ファン５によって送風路４に吹き込まれた空気は送風路４の側壁に向けられ、かつ、送風路４の側壁に沿って流れる空気は、飛び出した空気誘導部材８によって空気誘導部材８の表面に沿った強い空気流を作り出している。また、空気誘導部材８はその一端が吹出口前板７に連続しており、空気誘導部材８から吹出口前板７の間の連続部分に外部から空気が流入しない構成になっていつから、コアンダ現象が生まれて空気流は吹出口前板７から離れることなく、吹出口前板７の表面に沿った空気の流れとなるものである。
【００１４】
この為、室内対流ファン５によって送られる風は吹出口前板７とルーバー１０との間にも流れるようになり、吹出口前板７のある部分の温風吹出口６からも温風が吹き出すことができるようになり、横幅が広い温風吹出口６であっても、全体から温風が吹き出すことができるようになったものである。
【００１５】
尚、この発明の吹出口前板７は温風吹出口６の端付近から送風路４の側壁に向かって形成したので、ルーバー１０に対して傾斜する関係にあるが、従来のように温風吹出口の端から離れてルーバーと平行な面で吹出口前板を形成している時には、送風路の壁面に沿った空気流は強くできず、また、送風路の側壁と直角な面で吹出口前板が連続しており、更に、側壁と吹出口前板との接続部に吹出口前板側から空気が入り込むのでコアンダ効果が発揮できず、送風路の前面だけに温風が吹き出すものである。
【００１６】
一方、この発明のように空気誘導部材８が送風路４の側壁から送風路４内に飛び出して取付けられており、かつ、吹出口前板７の端が前方へ向かって傾斜しているから、送風路４内に位置する空気誘導部材８から吹出口前板７へ向かう部分が角張っていても、この部分に吹出口前側から空気が入り込むことができず、送風路４から送られた風の渦巻き部分が生じても、空気流は吹出口前板７から離れずに吹出口前板７に沿った空気流が維持できるものである。
【００１７】
この発明の効果をより有効に得るには、送風路４の側壁に沿った強い空気流を得ることが必要であり、９は送風路４内の側壁に取付けた送風板で、送風板９に向かった空気は送風板９によって方向を変更して、空気誘導部材８に向かう空気量を多くすることができる。
【００１８】
即ち、実施例では送風路４の天板の前部を傾斜させて送風路４の前部の高さを低くする傾斜天板４ａを設け、かつ、送風板９は室内対流ファン５から傾斜天板４ａに向かう空気流を遮るように送風路４の側壁に設けてあり、送風板９に当たった空気の流れが変わり空気誘導部材８の前方へ向かうものである。この為、空気誘導板に沿って流れる空気の量が多くなり、流速が早くなるから、空気の流れは確実に方向を変えて吹出口前板７の部分に向かう空気流が生まれることになった。
【００１９】
尚、図に示す実施例は石油燃料を燃焼するポットタイプの石油燃焼器であるが、この発明は送風路４における送風構造にかかるものであるから、バーナの形式は特に問題ではなく、都市ガスなどの気体燃料や、石油燃料を気化室で熱を加えて気体に代えてガス化して燃焼する燃焼器にも適用できるものである。
【００２０】
【発明の効果】
以上のようにこの発明の暖房機は、バーナ２が枠体１の片側に寄せて取付けてあっても、枠体１の前面の横幅広く構成した温風吹出口６のすべてから温風が吹き出すようになったから、横長の温風吹出口６を用いてはじめてダミーではなく本当に温風を吹き出すことができ、温風の吹出し幅が広がって暖房機正面の広い範囲の暖房効果が高まったものである。
【００２１】
また、この為の具体的な構造は従来の吹出口前板７の取付構造を代えて、空気誘導部材８を送風路４の側壁に取付けるだけであり、大がかりな変更ではないのでコストアップはほとんどなく実施できるものである。
【００２２】
また、送風路４の天板の前部を下向きに傾斜させる傾斜天板４ａを設けたものにおいて、傾斜天板４ａに向かう空気が空気誘導部材８よりも室内対流ファン５側で空気誘導部材８に向かうように送風板９を取付ければ、空気誘導部材８に沿って流れる空気流が多くなるから、吹出口前板７に向かう空気流が多くなり、温風吹出口６から吹き出す空気流が、均一に近くなるものである。
【図面の簡単な説明】
【図１】この発明の実施例を示す温風暖房機の横断面図である。
【図２】この発明の実施例を示す温風暖房機の縦断面図である。
【符号の説明】
１    枠体
２    バーナ
３    燃焼室
４    送風路
５    室内対流ファン
６    温風吹出口
７    吹出口前板
８    空気誘導部材
９    送風板
【図１】
0003565014.tif 000002
【図２】
0003565014.tif 000003